(57)【要約】【課題】  香燻体との相関性に配慮した装飾的かつ美的感覚を発揮でき、屋内の装飾品としても機能を発揮できる香燻体等取付用装飾具の提供。【解決手段】  渦巻状蚊取線香や固形の香などの香燻体を固定するために用いられる装飾具であって、飛行機等に擬した装飾具本体Ａの所望個処に係止部１を設け、この係止部１に香燻体２を取付可能とすると共に、前記装飾具本体Ａには、支脚５を設けて香燻体２の燃焼灰を受け取る受け皿４を設けて成ることを特徴とする香燻体等取付用装飾具。【選択図】        図１
2006025742.tif 000002
【特許請求の範囲】
【請求項１】
渦巻状蚊取線香や固形の香などの香燻体を固定するために用いられる装飾具であって、飛行機等に擬した装飾具本体の所望個処に係止部を設け、この係止部に香燻体を取付可能とすると共に、前記装飾具本体には、支脚を設けて香燻体の燃焼灰を受け取る受け皿を設けて成ることを特徴とする香燻体等取付用装飾具。
【請求項２】
係止部は回転自在とし、香燻体を回転できるようにして成ることを特徴とする香燻体等取付用装飾具。
【発明の詳細な説明】
【技術分野】
【０００１】
この発明は、主に渦巻状蚊取線香とか固形の香で、火により煙を発生する各種香燻体を対象とした香燻体等取付用装飾具に関する。
【背景技術】
【０００２】
従来、この種の香燻体を支持するものとしては、単に香燻体を支持するだけの支持脚とか、豚などに擬した陶器状の中空体内に香燻体を収容するなどの構成が知られていた。
【特許文献１】登録実用新案第３０２１６７５号公報
【発明の開示】
【発明が解決しようとする課題】
【０００３】
上述の従来例のものは、概して取付だけを目的とする実用的なものや、動物に擬したものがあっても、動物を中空状の豚の腹内部に香燻体を取付けて使用しており、香燻体との関連性に欠けており、装飾性に富んでいないという問題があった。
【０００４】
この発明は叙上の点に着目して成されたもので、香燻体との相関性に配慮した装飾的かつ美的感覚を発揮でき、屋内の装飾品としても機能を発揮できる香燻体等取付用装飾具を提供することを目的とする。
【課題を解決するための手段】
【０００５】
この発明は以下の構成を備えることにより、課題を解決できた。
【０００６】
（１）渦巻状蚊取線香や固形の香などの香燻体を固定するために用いられる装飾具であって、飛行機等に擬した装飾具本体の所望個処に係止部を設け、この係止部に香燻体を取付可能とすると共に、前記装飾具本体には、支脚を設けて香燻体の燃焼灰を受け取る受け皿を設けて成ることを特徴とする香燻体等取付用装飾具。
【０００７】
（２）係止部は回転自在とし、香燻体を回転できるようにして成ることを特徴とする香燻体等取付用装飾具。
【発明の効果】
【０００８】
この発明によれば、装飾具本体は、単発飛行機とかヘリコプターなどに擬して製作し、プロペラに相当するものを渦巻状蚊取線香とか棒状の香料などの香燻体を装飾具本体の係止部に取付けて点火することにより使用できると共に、必要に応じて係止部を中心にして香燻体を回転させることにより発煙を促し、殺虫、防虫効果を高めることができ、さらに、遊戯的、玩具的に遊び心を抱かせることができる。また点火しない場合には、机上、卓上で、置物として飾ることができる効果がある。
【発明を実施するための最良の形態】
【０００９】
以下に、この発明を実施するための最良の形態を、実施例に基づいて図面と共に説明する。
【実施例１】
【００１０】
図１及び図２は、装飾具本体Ａを単発飛行機に擬した場合を示し、例えばブリキ板を材料として製造できるが、材料は他の金属でも、陶器あるいは不燃性樹脂など好みの材料で好みの形状に形成できる。
【００１１】
１は装飾具本体Ａの先面に突出して設けた突起部で係止部に相当する。
【００１２】
この突起部の係止部１に、図示では渦巻状蚊取線香などの香燻体２の中心端部に穿った細孔３を挿通固定させて前記香燻体２を確固に固着させることができる。
【００１３】
４は灰を受け取る受け皿、５は単発飛行機に擬した装飾具本体Ａの下部に固着したコイルスプリングの支脚を示し、この支脚５の下端に設けた止片６を着脱自在に前記受け皿４の略々中心個処に設けた挿込部７に係入して揺動自在に固定させることができる。
【００１４】
使用に際して渦巻状蚊取線香に相当する香燻体２の端縁にマッチ等で点火すれば、煙が発生し、蚊などの除去、殺虫が可能となると共に、装飾具本体Ａは飛行機に擬して形成してあるので、点火状態の渦巻状蚊取線香の香燻体２がプロペラのように見受けられ、殺虫効果に加え、装飾効果をより一層顕著に表現できる。
【００１５】
ことに支脚５はコイルスプリングで形成してあるので、装飾具本体Ａを前後左右方向など好みの方向に揺動させて、恰も飛翔している興趣が得られる。また、装飾具本体Ａを好みの傾斜角度を保持させて静止または揺動させることもできる。しかも揺動時は煙の発生が促され、防虫、殺虫効果を高めることができると共に、煙のたなびきが種々変化してより楽しさを倍加できるという効果もある。
【００１６】
また、燃えかすの灰は、下方の受け皿４に確実に落下して地に落ちる虞が無いのできわめて安全である。
【００１７】
さらに、支脚５は止片６を介して受け皿４の挿込部７に着脱自在に取付けられているので、灰の処理、清掃の場合は、受け皿４と装飾具本体Ａとを分離して簡単に行うことができる。
【００１８】
なお、この支脚５は、コイルスプリングに代えて自由自在に可傾変形できるボールを抱持させた構成のユニバーサルジョイントなどを用いた構成としてもよく、その構造、形状は何等特定されない。
【００１９】
さらに、支脚５と受け皿４との取付け構成もビス止めなどを用いて行っても良く、同様に固定取外し構成は何等特定されない。
【実施例２】
【００２０】
図３は、装飾具本体Ａ１をヘリコプターとした場合を示し、渦巻状蚊取線香の香燻体２を装飾具本体Ａ１の上部に設けた係止部１に、プロペラに擬して取付けたもので、それ以外の他の全ての構成、作用は前記実施例１と同一であるので、同一個処には同一の符号を付し、説明の詳細は省く。
【００２１】
以上、本発明について２つの実施例について説明したが、渦巻状蚊取線香に代えて他の棒状などの香にも同様に実施できる。この場合、突起部と係合する係止孔が香自体に設けてない場合は、刃で簡単に開口して細孔を作り、この細孔を利用して係止固定できる。
【００２２】
つぎに、図４について説明する。（ａ）および（ｂ）はいずれも装飾具本体Ａの係止部の二例を示しており、（ａ）は係止部１が装飾具本体Ａ前面（図１，２）あるいは上部（図３）に固着した場合を示している。これに対し（ｂ）は管などの軸受８を介して係止部１が回転自在に取付けられており、かつ係止部１が軸受８より抜け脱しないように止部９，９で係止させている。
【００２３】
このように係止部１を図４（ｂ）の構成とすることにより、使用中、渦巻状蚊取線香２を軽快に回転させることができ、煙発生促進の効果に加えて飛行機やヘリコプターの飛翔状態に擬して使用でき、より一層多くの興趣を高めて装飾効果を向上できる。なお、回転させる場合、小型モータを接続させて電池を駆動源として用いれば回転を自動的に、かつ、タイマーを付設して一定時間働かせることができる。
【図面の簡単な説明】
【００２４】
【図１】本発明の一実施例を示す香燻体等取付用装飾具の一部切欠して示す側面図
【図２】図１の一部切欠して示す正面図
【図３】他の実施例を一部切欠して示す側面図
【図４】（ａ），（ｂ）は係止部の二例を示す部分拡大図で、（ａ）は固定した場合の側面図、（ｂ）は回転自在とした場合の断面図
【符号の説明】
【００２５】
Ａ  装飾具本体（単発飛行機、ヘリコプターに相当）
１  係止部
２  渦巻状蚊取線香（香燻体に相当）
３  細孔
４  受け皿
５  支脚（コイルスプリングに相当）
８  軸受（回転自在を可能）
【図１】
2006025742.tif 000003
【図２】
2006025742.tif 000004
【図３】
2006025742.tif 000005
【図４】
2006025742.tif 000006